(57)【特許請求の範囲】
【請求項１】
プレキャスト基礎の厚みよりも広い幅を有した断面略コ字形状を成し、隣接配置されるプレキャスト基礎に跨がる長さを有し、プレキャスト基礎の上面に突出するアンカーボルトを挿通させる挿通部と前記プレキャスト基礎の側面を押すことができるようにねじが装着されるねじ穴部とを両端側に各々備えたことを特徴とするプレキャスト基礎の据付治具。
【請求項２】
請求項１に記載のプレキャスト基礎の据付治具において、前記両端に備えられた一方の挿通部と他方の挿通部との間の中央箇所に開口が形成されていることを特徴とするプレキャスト基礎の据付治具。
【請求項３】
既に据え付けたプレキャスト基礎に隣接させて次のプレキャスト基礎を据え付けるときに、請求項１又は請求項２に記載の据付治具を両プレキャスト基礎を跨ぐように配置し、前記挿通部にアンカーボルトを挿通させ、ねじ穴部に装着したねじによってプレキャスト基礎の側面を押して通りを出すことを特徴とするプレキャスト基礎の据付方法。
【請求項４】
請求項３に記載のプレキャスト基礎の据付方法において、前記プレキャスト基礎に前記据付治具が装着された状態で当該プレキャスト基礎が吊り上げられる工程を有することを特徴とするプレキャスト基礎の据付方法。
【請求項５】
請求項３又は請求項４に記載のプレキャスト基礎の据付方法において、据え付けようとするプレキャスト基礎の吊り上げ状態を保持して既に据え付けたプレキャスト基礎の側面をねじにて押すことを特徴とするプレキャスト基礎の据付方法。
【発明の詳細な説明】
【０００１】
【産業上の利用分野】
この発明は、プレキャスト基礎の据付治具及び据付方法に関する。
【０００２】
【従来の技術】
建物の基礎を施工する方法として、予め工場にて偏平な略立方体形状を成すプレキャスト基礎を作製しておき、これを現場に搬送し、一つ一つクレーンで吊り上げ、所定の配置に並べ置いて互いに連結し、この連結部位等に現場でコンクリートを打設していく方法が知られている。
【０００３】
図５プレキャスト基礎５０をワイヤー５１によって吊り上げ、既に据え付けているプレキャスト基礎５０の隣に据え付けようとしている様子を示している。プレキャスト基礎５０の上面には、アンカーボルト５０ａが突出しているので、これにアイナット５２を装着し、このアイナット５２のリング部に前記ワイヤー５１の先端部（フック等）を引っかけることで吊り上げを行っている。
【０００４】
【発明が解決しようとする課題】
しかしながら、クレーンにて吊り上げたプレキャスト基礎５０を既に据え付けたプレキャスト基礎５０の隣に据え付けるときに、作業者による補助を得たとしてもプレキャスト基礎５０を正確に置くことは困難である。通常は、プレキャスト基礎５０を置いた後に、バール等を用いてプレキャスト基礎５０を動かし、予め張ってある水糸に合わせて通りを出す作業を行うことになる。
【０００５】
この発明は、上記の事情に鑑み、プレキャスト基礎の通りを容易に出すことができる据付治具及びプレキャスト基礎の据付方法を提供する。
【０００６】
【課題を解決するための手段】
この発明のプレキャスト基礎の据付治具は、上記の課題を解決するために、プレキャスト基礎の厚みよりも広い幅を有した断面略コ字形状を成し、隣接配置されるプレキャスト基礎に跨がる長さを有し、プレキャスト基礎の上面に突出するアンカーボルトを挿通させる挿通部と前記プレキャスト基礎の側面を押すことができるようにねじが装着されるねじ穴部とを両端側に各々備えたことを特徴としている。この据付治具では、後述する据付方法における通りを出す際に、断面略コ字形状における一方の垂直片部を基準面とし、これにプレキャスト基礎の側面を当接（圧接）させることになる。
【０００７】
そして、この発明のプレキャスト基礎の据付方法は、既に据え付けたプレキャスト基礎に隣接させて次のプレキャスト基礎を据え付けるときに、前記据付治具を両プレキャスト基礎を跨ぐように配置し、前記挿通部にアンカーボルトを挿通させ、ねじ穴部に装着したねじによってプレキャスト基礎の側面を押して通りを出すことを特徴とする。
【０００８】
プレキャスト基礎を吊り上げる際に当該プレキャスト基礎に前記据付治具を装着してもよい。また、据え付けようとするプレキャスト基礎の吊り上げ状態を保持して既に据え付けたプレキャスト基礎の側面をねじにて押すのがよい。
【０００９】
また、前記プレキャスト基礎の据付治具において、中央部に開口が形成されている構成であれば、この開口を介してこの連結部位へのコンクリート充填を行うことができる。
【００１０】
【発明の実施の形態】
以下、この発明の実施形態のプレキャスト基礎の据付治具及び据付方法を図１乃至図３に基づいて説明していく。
【００１１】
図１はプレキャスト基礎１の斜視図である。このプレキャスト基礎１は偏平な略立方体形状を成しており、その上端面からは、家屋の土台固定用のアンカーボルト１２が突出している。そして、このプレキャスト基礎１の下部側の両端近傍部位には短辺方向に貫通穴１１・１１が形成されている。
【００１２】
図２はプレキャスト基礎１の据付治具２を示した斜視図である。この据付治具２は、プレキャスト基礎１の厚み（短辺方向長さ）よりも広い幅を有した断面略コ字形状を成し、隣接配置されるプレキャスト基礎１・１に跨がる長さを有した鋼製の治具である。そして、この据付治具２の両端側であって、断面略コ字形状における上面部（水平面部）にはプレキャスト基礎１の上面から突出するアンカーボルト１２を挿通させる挿通部２１が形成されており、断面略コ字形状における垂直片部の一方（図において手前側）には前記プレキャスト基礎１を押すことができるようにねじ２２が装着されるねじ穴部２３が形成されている。断面略コ字形状における垂直片部の他方は前記プレキャスト基礎１の通りをだす際の基準面となる。また、この実施形態においては、据付治具２の中央部には開口２４が形成されている。据付治具２は１枚の鋼板の折り曲げ加工及び打ち抜き（或いはガスバーナーによる切断）により作製してもよいし（図２及び図３（ａ）参照）、断面略コ字形状における上面部（水平面部）を成す平板部材と、垂直片部を成す断面Ｌ字状の部材とを用い、これらを溶接等により固着して作製してもよいものである（図３（ｂ）及び図４参照）。
【００１３】
図３（ａ）はプレキャスト基礎１（１Ａ）の吊り上げ状態の斜視図であり、同図（ｂ）は、既に据え付けたプレキャスト基礎１（１Ｂ）の隣に次に据え付けるプレキャスト基礎１Ａを近づけている状態を示した斜視図である。この吊り上げ作業を行うときには、まず、プレキャスト基礎１の貫通穴１１・１１に棒状の両切りボルト（図示せず）をそれぞれ差し込み、これら両切りボルトの両端にアイナット１４を装着し、各アイナット１４にワイヤー（４本）１６の先端に設けたフック１５を係合させる。この実施形態では、この吊り上げを行うときに、プレキャスト基礎１Ａに据付治具２を取り付けている。この取り付けは、据付治具２の挿通部２１にアンカーボルト１２を挿通させ、ねじ穴部２３にねじ２２を装着することにより行う。このように据付治具２をプレキャスト基礎１Ａに取り付けた状態では、断面略コ字形状をなす据付治具２の垂直片部（ねじ穴部２３を形成していない側）がプレキャスト基礎１Ａの側面に圧接し、また、据付治具２はプレキャスト基礎１Ａの上角部から突出するかたちとなる。
【００１４】
そして、図４（ａ）に示すように、据付治具２におけるプレキャスト基礎１Ａの上角部から突出する部分が既に据え付けたプレキャスト基礎１Ｂに嵌まるように、次に据え付けるプレキャスト基礎１Ａを地面上に置く。このとき、既に据え付けたプレキャスト基礎１Ｂのアンカーボルト１２を、据付治具２における他方側の挿通部２１に挿通させる。このように、据付治具２が既に据え付けたプレキャスト基礎１Ｂに嵌まることで、既に据え付けたプレキャスト基礎１Ｂに対して略規定の位置にプレキャスト基礎１Ａが置かれることになる。
【００１５】
そして、既に据え付けたプレキャスト基礎１Ｂの側のねじ穴部２３にもねじ２２を装着し、このねじ２２にてプレキャスト基礎１Ｂの側面を押し、反対側の側面を据付治具２の他方側の垂直片部に圧接する（このとき、プレキャスト基礎１Ａにおいて移動が生じる）。これにより、両プレキャスト基礎１Ａ・１Ｂは共に据付治具２の他方側の垂直片部に圧接して並ぶことになり、通りがでることになる（なお、挿通部２１にアンカーボルトが当たらないように、挿通部２１は大きめにしておけばよい）。ここで、プレキャスト基礎１Ａを地面上に完全に置くのではなく、当該プレキャスト基礎１Ａの吊り上げ状態を保っておくことにより、ねじ２２にてプレキャスト基礎１Ｂの側面を押してプレキャスト基礎１Ａの移動を行わせることが容易に行えることになる。
【００１６】
両プレキャスト基礎１Ａ・１Ｂは、その通り方向に直交する側面から図示しない骨材が突出しており、これら骨材は互いにボルト等によって連結される。この連結部分にはコンクリートが打設されるが、据付治具２には中央部に開口２４が形成されているので、このコンクリート充填を円滑に行うことができる。また、基礎全体として逆Ｔ字状を成すようにプレキャスト基礎１の下部周辺にもコンクリートが打設される。
【００１７】
なお、上記の例では、プレキャスト基礎１に形成されている貫通穴１１を利用して吊り上げることとしたが、このような貫通穴１１を有しないプレキャスト基礎１に対しては、アンカーボルト１２にアイナットを装着して吊り上げるようにしてもよい。ただし、上記貫通穴１１を用いて吊り上げる方が、吊り上げ時のプレキャスト基礎１の傾きや揺れを小さくすることができ、据付治具２を既に据え付けたプレキャスト基礎１Ｂにはめ込む作業がやりやすくなる。
【００１８】
【発明の効果】
以上説明したように、この発明によれば、据付治具を用いることで、既に据え付けたプレキャスト基礎に対して略規定の位置に次に据え付けるプレキャスト基礎を置くことができ、既に据え付けたプレキャスト基礎の側に位置する据付治具のねじ穴部にねじを装着してねじ込むことで、両プレキャスト基礎は共に断面略コ字形状をなす据付治具の垂直片部に圧接して並ぶことになり、通りを容易に出すことができるという効果を奏する。
【図面の簡単な説明】
【図１】プレキャスト基礎の斜視図である。
【図２】この発明の実施形態の据付治具の斜視図である。
【図３】この発明の実施形態を示す図であって、同図（ａ）はプレキャスト基礎の吊り上げ状態の斜視図であり、同図（ｂ）は吊り上げ状態のプレキャスト基礎を既に据え付けたプレキャスト基礎に近づけた状態の斜視図である。
【図４】この発明の実施形態を示す図であって、隣接するプレキャスト基礎同士の通りを出す作業を示した説明図である。
【図５】従来のプレキャスト基礎の据付方法を示した斜視図である。
【符号の説明】
１    プレキャスト基礎
２    据付治具
１２  アンカーボルト
１６  ワイヤー
２１  挿通部
２２  ねじ
２３  ねじ穴部
２４  開口
【図１】
0003779907.tif 000002
【図２】
0003779907.tif 000003
【図３】
0003779907.tif 000004
【図４】
0003779907.tif 000005
【図５】
0003779907.tif 000006